(57)【特許請求の範囲】
【請求項１】
閉塞された内部空間を形成する被着体に形成された貫通孔を閉塞するように被着体に貼り付け可能に構成され、内部空間と該内部空間に被着体を介して隣接する外部空間との間で気体の通気を可能にする通気ラベルであって、
本体層と、粘着剤を用いて環状に形成されて本体層の一方の面側に配置される粘着層と、本体層の一方の面側で前記環状の粘着層の内側に配置されると共に被着体に対して貼り付かない非貼付層と、自己吸着性を有する素材を用いて形成されて環状の粘着層の内側で本体層と非貼付層との間に積層される自己吸着層とを備えると共に、前記非貼付層と自己吸着層とが積層された領域に面方向に線状に形成されて該領域を貫通する線状貫通部を備えており、
前記環状の粘着層を備える領域と非貼付層及び自己吸着層を備える領域との間には、気体のみで満たされた空間であって通気ラベルが被着体に貼り付けられた状態で被着体の貫通孔と連通するラベル内空間が形成されており、
前記非貼付層は、通気ラベルが被着体に貼り付けられた状態で、線状貫通部が形成された部分が被着体における貫通孔から離間した位置に当接するように構成される通気ラベル。
【発明の詳細な説明】
【技術分野】
【０００１】
本発明は、閉塞された内部空間を形成する被着体に貼り付け可能に構成されたラベルであって、被着体を介して内部空間と隣接する外部空間と内部空間との間で気体の流通を可能にする通気ラベルに関する。
【背景技術】
【０００２】
従来、例えば、軟質包装材で閉塞された内部空間に物品が収容されてなる包装体においては、収容される物品の性質によって、包装体の内側の空間（内部空間）と外側の空間（外部空間）との間に気圧差が生じる場合がある。例えば、コーヒー豆や味噌等の物品が収容される場合、斯かる物品の発酵等の影響によって炭酸ガスが内部空間に発生する。このため、内部空間の気圧が外部空間よりも高くなる場合がある。また、焙煎されたコーヒー豆等の加熱された物品が収容される場合、斯かる物品の温度低下に伴って、内部空間の温度も低下することになる。このため、内部空間の気圧が外部空間よりも低くなる場合がある。
【０００３】
上述のように、内部空間と外部空間との間に気圧差が生じると、包装体が膨張して破裂したり、包装体が萎んで軟質包装材にシワや凹凸が生じ、意匠性が低下したりする場合がある。このため、内部空間と外部空間との間に生じた気圧差を解消する方法として、包装体を構成する軟質包装材に貫通孔を形成し、該貫通孔を覆うように通気性を有するラベルを貼り付ける方法が提案されている。
【０００４】
斯かるラベルとしては、例えば、可撓制を有するフィルム片にスリットが形成されてなるラベルが知られている（特許文献１参照）。斯かるラベルは、軟質包装材に形成された貫通孔を覆うように軟質包装材に貼り付けられる際に、貫通孔とスリットとが重ならないようにすることで、貫通孔とスリットとが離間した状態になる。これにより、外部空間から内部空間への異物の侵入を防止することができると共に、内部空間の気体をスリットから外部空間へ排出することが可能となっている。
【０００５】
また、他のラベルとしては、通気孔を設けたシート状の基材フィルムと、該基材フィルムに積層される弁フィルムとの間に気体の流路が形成されるものが知られている（特許文献２参照）。斯かるラベルでは、基材フィルムと弁フィルムとの間の流路となる領域にシリコンオイルが充填されている。そして、基材フィルムの通気孔が軟質包装材の貫通孔と重なるように斯かるラベルが軟質包装材に貼り付けられることで、内部空間の気体が貫通孔および通気孔を通じてシリコンオイル内に入り込み、斯かる気体がシリコンオイル内を移動してラベルの端縁に達することで、内部空間の気体を外部空間へ排出することが可能となっている。
【先行技術文献】
【特許文献】
【０００６】
【特許文献１】実開平６−５７８６１号公報
【特許文献２】特開２００６−２９８４６７号公報
【発明の概要】
【発明が解決しようとする課題】
【０００７】
しかしながら、特許文献１に開示されたラベルは、軟質包装材の貫通孔から離間した位置にスリットが配置されるものの、スリットと貫通孔とが連通した状態になり易く、外部空間から内部空間への異物の混入を効果的に防止することができない。また、特許文献２に開示されたラベルは、気体の流路がシリコンオイルで充填されているため、流路を通じて外部空間から内部空間へ異物が侵入し難く、また、密閉性に優れている。しかしながら、シリコンオイルがラベルから流出し易いため、内部空間の密閉性を長期に亘って維持することができないだけでなく、流出したシリコンオイルが内部空間に侵入して内部空間に収容された物品を汚染する虞がある。
【０００８】
そこで、本発明は、被着体によって形成される内部空間の密封状態を良好に維持することができると共に、被着体によって形成される内部空間への異物の混入を防止することができる通気ラベルを提供することを課題とする。
【課題を解決するための手段】
【０００９】
本発明に係る通気ラベルは、閉塞された内部空間を形成する被着体に形成された貫通孔を閉塞するように被着体に貼り付け可能に構成され、内部空間と該内部空間に被着体を介して隣接する外部空間との間で気体の通気を可能にする通気ラベルであって、本体層と、粘着剤を用いて環状に形成されて本体層の一方の面側に配置される粘着層と、本体層の一方の面側で前記環状の粘着層の内側に配置されると共に被着体に対して貼り付かない非貼付層と、自己吸着性を有する素材を用いて形成されて環状の粘着層の内側で本体層と非貼付層との間に積層される自己吸着層とを備えると共に、前記非貼付層と自己吸着層とが積層された領域に面方向に線状に形成されて該領域を貫通する線状貫通部を備えており、前記環状の粘着層を備える領域と非貼付層及び自己吸着層を備える領域との間には、気体のみで満たされた空間であって通気ラベルが被着体に貼り付けられた状態で被着体の貫通孔と連通するラベル内空間が形成されており、前記非貼付層は、通気ラベルが被着体に貼り付けられた状態で、線状貫通部が形成された部分が被着体における貫通孔から離間した位置に当接するように構成される。
【００１０】
斯かる構成によれば、被着体の貫通孔を覆うように通気ラベルが被着体に貼り付けられることで、被着体によって形成される内部空間と該内部空間に被着体を介して隣接する外部空間との間で気体の流通が可能になると共に、内部空間の密封状態を良好に維持することが可能となる。
【００１１】
具体的には、線状貫通部では、線状貫通部を構成する自己吸着層の対峙する端部（以下、自己吸着層対峙端部とも記す）同士が当接した状態となる。この際、自己吸着層対峙端部同士が互いに吸着することで、線状貫通部が密閉された状態になる。これにより、内部空間の密封状態が維持される。
【００１２】
そして、内部空間の気圧（以下、内圧とも記す）が外部空間の気圧（以下、外圧とも記す）よりも高くなった場合、被着体の貫通孔から排出される気体の圧力によって、吸着していた自己吸着層対峙端部が外部空間側へ変位（弾性変形）して部分的又は全体的に離間した状態になる。これにより、自己吸着層対峙端部同士の間に隙間が形成されて、斯かる隙間から内部空間の気体が外部空間へ排出される。逆に、外圧が内圧よりも高くなった場合、外圧の作用によって、吸着していた自己吸着層対峙端部が内部空間側へ変位（弾性変形）して部分的又は全体的に離間した状態になる。これにより、自己吸着層対峙端部同士の間に隙間が形成されて、斯かる隙間から外部空間の気体が内部空間へ流入する。
【００１３】
以上のように、自己吸着層対峙端部同士の間に形成される隙間を通じて、内部空間と外部空間との間で気体の流通が可能となることで、内圧と外圧との差を調整することができる。そして、内圧と外圧との差が調整された状態では、自己吸着層対峙端部同士が吸着して隙間が消失することで、線状貫通部が密閉された状態になる。これにより、内部空間の密封状態を、再度、維持することができ、外部空間からの異物の侵入を防止することができる。
【００１６】
粘着剤を用いて形成された粘着層を更に備え、前記線状貫通部は、粘着層を備えない領域に形成されることが好ましい。
【００１７】
斯かる構成によれば、線状貫通部が粘着層を備えない領域に形成されることで、自己吸着層対峙端部の変位（具体的には、自己吸着層対峙端部同士が吸着した状態から部分的又は全体的に離間して隙間が形成されるまでの弾性変形）が粘着層によって阻害されるのを防止することができる。具体的には、自己吸着層と粘着層とが積層された領域に線状貫通部が形成された場合、線状貫通部を構成する粘着層の対峙する端部（以下、粘着層対峙端部とも記す）同士が当接した状態となる。この際、粘着層対峙端部同士は、自身の粘着力によって、粘着した状態となるため、斯かる粘着力によって自己吸着層対峙端部の変位（具体的には、自己吸着層対峙端部同士が吸着した状態から部分的又は全体的に離間して隙間が形成されるまでの弾性変形）が制限される。しかしながら、線状貫通部が粘着層を備えない領域に形成されることで、粘着層対峙端部が形成されないため、自己吸着層対峙端部の変位（具体的には、自己吸着層対峙端部同士が吸着した状態から部分的又は全体的に離間して隙間が形成されるまでの弾性変形）が粘着層の粘着力によって阻害されるのを防止することができる。
【発明の効果】
【００１８】
以上のように、本発明によれば、被着体によって形成される内部空間の密封状態を良好に維持することができると共に、被着体によって形成される内部空間への異物の混入を防止することができる。
【図面の簡単な説明】
【００１９】
【図１】（ａ）は、第一実施形態に係る通気ラベルが包装体に貼り付けられた状態を示す斜視図と一部拡大図、（ｂ）は、（ａ）のＩ−Ｉ断面における通気ラベルを示した断面図。
【図２】図１（ａ）のＩ−Ｉ断面を示した断面図であって、（ａ）は、線状貫通部が密閉された状態を示した断面図、（ｂ）は、線状貫通部が外部空間側へ開いた状態を示した断面図。
【図３】図１（ａ）のＩ−Ｉ断面を示した断面図であって、（ａ）は、線状貫通部が内部空間側へ開いた状態を示した断面図、（ｂ）は、線状貫通部が、再度、密閉された状態を示した断面図。
【図４】（ａ）は、第二実施形態に係る通気ラベルの断面図であり、（ｂ）は、第三実施形態に係る通気ラベルが被着体に貼り付けられた状態を示す断面図。
【発明を実施するための形態】
【００２０】
＜第一実施形態＞
以下、本発明の第一実施形態について図１〜３を参照しながら説明する。なお、以下の図面において同一または相当する部分には同一の参照符号を付しその説明は繰り返さない。
【００２１】
本実施形態に係る通気ラベル１は、図１（ａ）に示すように、閉塞された内部空間を形成する被着体Ａに貼り付けられるものである。本実施形態では、被着体Ａとして、軟質包装材を用いて物品が包装されてなる包装体Ａが使用される。該包装体Ａは、内部空間と連通する貫通孔Ａ１を備え、該貫通孔Ａ１を覆うように通気ラベル１（具体的には、後述する低剥離領域３）が貼り付けられる。そして、通気ラベル１は、内部空間の気圧（以下、内圧とも記す）と該内部空間に包装体Ａを介して隣接する外部空間の気圧（以下、外圧とも記す）との差が所定の範囲を超えた場合に、内部空間と外部空間との間で気体を通気させるように構成される。
【００２２】
通気ラベル１は、包装体Ａに対して貼り付けられる貼付領域２と、該貼付領域２よりも被着体に対する剥離強度が低い低剥離領域３とを備える。貼付領域２は、通気ラベル１の外周に沿って環状（具体的には、連続した環状）に形成され、通気ラベル１の周端部に形成される。一方、低剥離領域３は、環状の貼付領域２の内側に形成される。そして、低剥離領域３が貫通孔Ａ１を覆うように、通気ラベル１が包装体Ａに貼り付けられることで、低剥離領域３が貫通孔Ａ１を密閉すると共に、貼付領域２によって包装体Ａに対する通気ラベル１の貼り付け状態が維持される。また、通気ラベル１は、低剥離領域３に面方向に線状に形成されて該領域を貫通する線状貫通部１ａを更に備える。本実施形態では、線状貫通部１ａは、通気ラベル１が十字状に切り込まれて形成される。
【００２３】
上記のような通気ラベル１は、図１（ｂ）に示すように、変形自在な本体層４と、粘着剤を用いて形成される粘着層５と、自己吸着性を有する素材を用いて形成される自己吸着層６とを備える。本実施形態では、自己吸着層６は、包装体Ａに対する剥離強度が粘着層５よりも低くなるように構成されると共に、粘着層５よりも面積が狭くなるように形成される。そして、本体層４と自己吸着層６との間に粘着層５が位置するように各層が積層されて通気ラベル１が構成される。これにより、本体層４と粘着層５と自己吸着層６とが積層された領域によって低剥離領域３が形成され、該低剥離領域３の周囲に本体層４と粘着層５とが積層された領域によって貼付領域２が形成される。
【００２４】
本体層４は、変形自在な樹脂フィルムを用いて形成される。例えば、包装体Ａを構成する軟質包装材と同等の柔軟性を有する樹脂フィルムを用いることが可能である。本体層４を構成する素材や本体層４の厚みとしては、特に限定されるものではなく、後述する線状貫通部１ａを開口させる際の内圧と外圧との差に応じて適宜選択することが好ましい。具体的には、樹脂フィルムを構成する素材としては、例えば、ポリエチレンテレフタレート、ポリプロピレン等が挙げられる。樹脂フィルムの厚みとしては、例えば、１２μｍ以上２００μｍ以下であってもよく、１６μｍ以上７５μｍ以下であってもよい。
【００２５】
粘着層５は、本体層４の一方の面に粘着剤が塗工されて形成される。そして、粘着層５の一方の面に自己吸着層６が積層されることで、粘着層５には、自己吸着層６によって被覆された領域と、該領域以外であって粘着層５が露出した領域とが形成される。これにより、通気ラベル１には、自己吸着層６と粘着層５とが積層された領域（換言すれば、自己吸着層６で粘着層５が被覆された領域）によって低剥離領域３が形成され、粘着層５における自己吸着層６が積層されていない領域（換言すれば、粘着層５が露出した領域）によって貼付領域２が形成される。
【００２６】
粘着層５を構成する素材や粘着層５の厚みとしては、特に限定されるものではなく、後述する線状貫通部１ａを開口させる際の内圧と外圧との差に応じて適宜選択することが好ましい。粘着層５を構成する粘着剤としては、粘着層５の包装体Ａに対する剥離強度が自己吸着層６よりも高くなれば、特に限定されるものではなく、例えば、アクリル酸ブチルホモポリマー又はコポリマー、アクリル酸２エチルヘキシルホモポリマー又はコポリマー、天然ゴム等から構成されるものが挙げられる。粘着層５の厚みとしては、特に限定されるものではなく、例えば、１０μｍ以上５０μｍ以下であってもよく、１５μｍ以上２５μｍ以下であってもよい。粘着層５の包装体Ａに対する剥離強度（即ち、貼付領域２の剥離強度）としては、特に限定されるものではなく、例えば、２００Ｎ／ｍ以上１２００Ｎ／ｍ以下であってもよく、４００Ｎ／ｍ以上８００Ｎ／ｍ以下であってもよい。
【００２７】
自己吸着層６は、粘着層５よりも面積が小さくなるように形成され、粘着層５の外周よりも内側の領域（具体的には、略中央部）に配置される。また、自己吸着層６の厚みとしては、特に限定されるものではなく、例えば、自己吸着性を有する樹脂を含有する塗料を粘着層５に印刷（好ましくは、フレキソ印刷）する方法で自己吸着層６を形成する場合には、１μｍ以上２０μｍ以下であってもよく、２μｍ以上１０μｍ以下であってもよく、６μｍ前後であってもよい。又は、自己吸着性を有する樹脂を粘着層５に滴下する方法で自己吸着層６を形成する場合には、５μｍ以上１０μｍ以下であってもよく、７μｍ以上９μｍ以下であってもよい。自己吸着層６を構成する樹脂としては、特に限定されるものではなく、例えば、シリコーン（メタ）アクリレート類の重合体、長鎖アルキルアクリレート重合体等が挙げられる。自己吸着層６の軟質包装材に対する剥離強度（即ち、低剥離領域３の剥離強度）としては、特に限定されるものではない。
【００２８】
また、通気ラベル１は、自己吸着層６を備える領域（具体的には、低剥離領域３）に面方向に線状に形成されて該領域を貫通する線状貫通部１ａを備える。つまり、線状貫通部１ａは、本体層４、粘着層５、および、自己吸着層６が厚み方向の対応する位置で部分的に切断されて形成される。そして、線状貫通部１ａでは、通気ラベル１における線状貫通部１ａを構成する対峙する端部（以下、通気ラベル対峙端部とも記す）１ｂ，１ｂ同士が当接した状態となる。
【００２９】
具体的には、通気ラベル対峙端部１ｂ，１ｂ同士が当接した状態では、本体層４の対峙する端部（以下、本体層対峙端部とも記す）４ａ，４ａ同士と、粘着層５の対峙する端部（以下、粘着層対峙端部とも記す）５ａ，５ａ同士と、自己吸着層６の対峙する端部（以下、自己吸着層対峙端部とも記す）６ａ，６ａ同士とがそれぞれ当接した状態となる。斯かる状態では、粘着層対峙端部５ａ，５ａ同士は、自身の粘着力によって粘着した状態となり、自己吸着層対峙端部６ａ，６ａ同士は、自身の吸着力で吸着した状態となる。
【００３０】
そして、通気ラベル対峙端部１ｂ，１ｂに対して、通気ラベル１の一方の面側又は他方の面側に向かって所定の力（具体的には、気圧）が加わった際に、通気ラベル対峙端部１ｂ，１ｂは、通気ラベル１の一方の面側又は他方の面側へ変位（弾性変形）可能に構成される。そして、通気ラベル対峙端部１ｂ，１ｂが通気ラベル１の一方の面側又は他方の面側へ変位（弾性変形）することで、通気ラベル対峙端部１ｂ，１ｂ同士の間に隙間が形成されるように構成される。
【００３１】
次に、上記のように構成される通気ラベル１の使用方法について説明する。図２（ａ）に示すように、通気ラベル１は、線状貫通部１ａが貫通孔Ａ１と重なるように包装体Ａに貼り付けられる。この際、低剥離領域３は、軟質包装材における貫通孔Ａ１の周辺領域に密着（具体的には、低剥離領域３を構成する自己吸着層６が貫通孔Ａ１の周辺領域に吸着）した状態となる。一方、貼付領域２（具体的には、粘着層５）は、包装体Ａにおける貫通孔Ａ１から離間した位置の環状の領域に貼り付いた状態となる。
【００３２】
そして、通気ラベル１が包装体Ａに貼り付けられた状態で、内部空間Ｒ１の気圧（内圧）と、包装体Ａを介して内部空間Ｒ１に隣接する外部空間Ｒ２の気圧（外圧）との差が所定の範囲である場合には、貫通孔Ａ１が通気ラベル１によって密封された状態が維持される。具体的には、内圧と外圧との差が所定の範囲である場合には、線状貫通部１ａを構成する通気ラベル対峙端部１ｂ，１ｂ同士が当接した状態となる。斯かる状態では、自己吸着層対峙端部６ａ，６ａ同士が自身の吸着力によって吸着して密着した状態となり、線状貫通部１ａが密閉された状態となる。これにより、貫通孔Ａ１が通気ラベル１（具体的には、自己吸着層６）によって密封された状態が維持される。
【００３３】
上記のようにして包装体Ａに貼り付けられた通気ラベル１は、内圧と外圧との差が所定の範囲を超えた場合、内部空間Ｒ１と外部空間Ｒ２との間で気体の流通を可能にする。具体的には、内圧が外圧よりも高くなって内圧と外圧との差が所定の範囲を超えた場合には、図２（ｂ）に示すように、線状貫通部１ａを構成する通気ラベル対峙端部１ｂ，１ｂに内圧が加わって、通気ラベル対峙端部１ｂ，１ｂが外部空間Ｒ２側へ変位（弾性変形）して離間する。これにより、通気ラベル対峙端部１ｂ，１ｂ同士の間（本体層対峙端部４ａ，４ａ同士、粘着層対峙端部５ａ，５ａ同士、自己吸着層対峙端部６ａ，６ａ同士のそれぞれの間）に隙間が形成され、斯かる隙間を通じて内部空間Ｒ１の気体が外部空間Ｒ２へ排出される。
【００３４】
上記とは逆に、外圧が内圧よりも高くなって内圧と外圧との差が所定の範囲を超えた場合には、図３（ａ）に示すように、線状貫通部１ａを構成する通気ラベル対峙端部１ｂ，１ｂに外圧が加わって、通気ラベル対峙端部１ｂ，１ｂが内部空間Ｒ１側へ変位（弾性変形）して離間する。これにより、通気ラベル対峙端部１ｂ，１ｂ同士の間に隙間が形成され、斯かる隙間を通じて外部空間Ｒ２の気体が内部空間Ｒ１へ流入する。
【００３５】
そして、上述のように内部空間Ｒ１から外部空間Ｒ２への気体の排出や、外部空間Ｒ２から内部空間Ｒ１への気体の流入によって、内圧と外圧との差が所定の範囲になることで、図３（ｂ）に示すように、離間していた通気ラベル対峙端部１ｂ，１ｂ同士が当接する位置にまで変位（復帰）する。これにより、通気ラベル対峙端部１ｂ，１ｂ同士の間に形成されていた隙間が閉塞される。この際、自己吸着層対峙端部６ａ，６ａ同士は、自身の吸着力によって密着した状態となるため、貫通孔Ａ１が密封された状態に再度維持される。
【００３６】
以上のように、通気ラベル１を用いることによって、内部空間Ｒ１の密封状態を維持することができると共に、内圧が外圧よりも高い場合だけでなく、外圧が内圧よりも高い場合であっても、内部空間Ｒ１と外部空間Ｒ２との間で気体の流通を可能して、内部空間Ｒ１と外部空間Ｒ２との間の気圧差を解消することができる。
【００３７】
即ち、通気ラベル１の線状貫通部１ａが被着体Ａの貫通孔Ａ１と重なるように、通気ラベル１が被着体Ａに貼り付けられることで、被着体Ａによって形成される内部空間Ｒ１と外部空間Ｒ２との間で気体の流通が可能になると共に、内部空間Ｒ１の密封状態を良好に維持することが可能となる。
【００３８】
具体的には、線状貫通部１ａでは、線状貫通部１ａを構成する自己吸着層対峙端部６ａ，６ａ同士が当接した状態となる。この際、自己吸着層対峙端部６ａ，６ａ同士が互いに吸着することで、線状貫通部１ａが密閉された状態になる。これにより、内部空間Ｒ１の密封状態が維持される。
【００３９】
そして、内圧が外圧よりも高くなった場合、内圧の作用によって、吸着していた自己吸着層対峙端部６ａ，６ａが外部空間Ｒ２側へ変位（弾性変形）して部分的又は全体的に離間した状態になる。これにより、自己吸着層対峙端部６ａ，６ａ同士の間に隙間が形成されて、斯かる隙間から内部空間Ｒ１の気体が外部空間Ｒ２へ排出される。逆に、外圧が内圧よりも高くなった場合、外圧の作用によって、吸着していた自己吸着層対峙端部６ａ，６ａが内部空間Ｒ１側へ変位（弾性変形）して部分的又は全体的に離間した状態になる。これにより、自己吸着層対峙端部６ａ，６ａ同士の間に隙間が形成されて、斯かる隙間から外部空間Ｒ２の気体が内部空間Ｒ１へ流入する。
【００４０】
以上のように、自己吸着層対峙端部６ａ，６ａ同士の間に形成される隙間を通じて、内部空間Ｒ１と外部空間Ｒ２との間で気体の流通が可能となることで、内圧と外圧との差を調整することができる。そして、内圧と外圧との差を調整された状態では、自己吸着層対峙端部６ａ，６ａ同士が吸着して隙間が消失することで、線状貫通部１ａが密閉された状態になる。これにより、内部空間Ｒ１の密封状態を、再度、維持することができる。
【００４１】
また、環状の貼付領域２の内側に低剥離領域３が形成されることで、通気ラベル１が被着体Ａに貼り付けられた状態で、低剥離領域３と被着体Ａとの間に、低剥離領域３の周囲から気体が流入するのが防止される。このため、内部空間Ｒ１の密封状態を良好に維持することができる。また、低剥離領域３に線状貫通部１ａが形成されることで、線状貫通部１ａを構成する通気ラベル１の端部が被着体Ａに貼り付かないため、自己吸着層対峙端部６ａ，６ａの変位（具体的には、自己吸着層対峙端部６ａ，６ａ同士が吸着した状態から部分的又は全体的に離間して隙間が形成されるまでの弾性変形）を阻害することがない。このため、内部空間Ｒ１と外部空間Ｒ２との間での気体の流通をより迅速に行うことができる。
【００４２】
また、自己吸着層６と粘着層５とが積層された領域に線状貫通部１ａが形成されることで、線状貫通部１ａを構成する粘着層対峙端部５ａ，５ａ同士が当接した状態となる。この際、粘着層対峙端部５ａ，５ａ同士は、自身の粘着力によって、粘着した状態となるため、斯かる粘着力によって自己吸着層対峙端部６ａ，６ａの変位（具体的には、自己吸着層対峙端部６ａ，６ａ同士が吸着した状態から部分的又は全体的に離間して隙間が形成されるまでの弾性変形）が制限される。これにより、自己吸着層対峙端部６ａ，６ａ同士の間に意図せずに隙間が形成されるのを防止することができる。
【００４３】
＜第二実施形態＞
次に、本発明の第二実施形態について、図４（ａ）を用いて説明する。第二実施形態に係る通気ラベル１０は、第一実施形態に係る通気ラベル１と比較すると、主に、線状貫通部１０ａの構成が異なるものである。これに伴い、粘着層５０の構成も一部異なる。従って、以下では、第一実施形態と異なる点を中心に説明し、同一の構成に対しては同一の符号を付すこととして説明を省略する。
【００４４】
通気ラベル１０は、粘着層５０が積層されていない領域に線状貫通部１０ａを備える。具体的には、通気ラベル１０では、本体層４の外周に沿って環状に形成された粘着層５０が本体層４の外周部に積層される。一方、自己吸着層６は、本体層４における粘着層５０が積層されていない領域（具体的には、環状の粘着層５０の内側の領域）に積層される。つまり、粘着層５０は、自己吸着層６の周囲を囲むように、且つ、自己吸着層６の周端部と接するように形成される。そして、本体層４および自己吸着層６が積層された領域（即ち、粘着層５０が積層されていない領域）に線状貫通部１０ａが形成される。
【００４５】
これにより、線状貫通部１０ａでは、本体層対峙端部４ａ，４ａ同士が当接した状態になると共に、自己吸着層対峙端部６ａ，６ａ同士が当接した状態になる。一方、粘着層５０には、線状貫通部１０ａを構成するように対峙する端部が形成されない（つまり、通気ラベル１０では、第一実施形態のような粘着層対峙端部５ａ，５ａが形成されない）。このため、線状貫通部１０ａは、自己吸着層対峙端部６ａ，６ａ同士が吸着する力によってのみ密閉された状態となる。これにより、第一実施形態のように、粘着層対峙端部５ａ，５ａ同士の粘着力によって、線状貫通部１ａの開閉が制御される場合よりも、容易に（具体的には、内圧と外圧との差が低い状態であっても）線状貫通部１０ａを開くことができる。
【００４６】
＜第三実施形態＞
次に、本発明の第三実施形態について、図４（ｂ）を用いて説明する。第三実施形態に係る通気ラベル１１は、第一実施形態に係る通気ラベル１と比較すると、主に、線状貫通部１１ａの構成が異なるものである。これに伴い、粘着層５１，自己吸着層６の構成も一部異なる。従って、以下では、第一実施形態と異なる点を中心に説明し、同一の構成に対しては同一の符号を付すこととして説明を省略する。
【００４７】
通気ラベル１１は、本体層４の外周に沿って環状に形成された粘着層５１が本体層４の外周部に積層される。一方、自己吸着層６は、本体層４における粘着層５１が積層されていない領域（具体的には、環状の粘着層５０の内側の領域）に積層される。つまり、粘着層５０は、自己吸着層６の周囲を囲むように形成される。
【００４８】
また、通気ラベル１１は、被着体Ａに対して貼り付かない非貼付層７を備え、該非貼付層７と本体層４との間に自己吸着層６が形成される。本実施形態では、非貼付層７は、自己吸着層６を覆うように自己吸着層６に積層される。また、非貼付層７は、通気ラベル１１が被着体Ａに貼り付けられた際に、被着体Ａと当接するように構成される。そして、通気ラベル１１では、粘着層５１が積層されていない領域（具体的には、本体層４、自己吸着層６、および、非貼付層７が積層された領域）に線状貫通部１１ａを備える。なお、非貼付層７は、粘着性および吸着性を有さないシート材が積層されて構成されてもよく、粘着性および吸着性を有さない樹脂が印刷されて構成されてもよい。
【００４９】
斯かる線状貫通部１１ａでは、線状貫通部１１ａを構成する非貼付層７の対峙する端部７ａ，７ａ同士、本体層対峙端部４ａ，４ａ同士、自己吸着層対峙端部６ａ，６ａ同士がそれぞれ当接した状態になる。一方、粘着層５１には、線状貫通部１１ａを構成するように対峙する端部が形成されない（つまり、通気ラベル１１では、第一実施形態のような粘着層対峙端部５ａ，５ａが形成されない）。このため、線状貫通部１１ａは、自己吸着層対峙端部６ａ，６ａ同士の吸着力によってのみ密閉された状態となる。これにより、第一実施形態のように、粘着層対峙端部５ａ，５ａ同士の粘着力によって、線状貫通部１ａの開閉が制御される場合より、容易に（具体的には、内圧と外圧との差が低い状態であっても）線状貫通部１１ａを開くことができる。
【００５０】
また、通気ラベル１１は、被着体Ａに貼り付かない非貼付領域８を環状の貼付領域２の内側に備える。具体的には、通気ラベル１１は、自己吸着層６および非貼付層７と粘着層５１との間に空間（以下、ラベル内空間とも記す）１１Ｒを備え、該該ラベル内空間１１Ｒを備える領域と、非貼付層７を備える領域とによって非貼付領域８が構成される。
【００５１】
斯かる通気ラベル１１は、ラベル内空間１１Ｒを備える領域が被着体Ａの貫通孔Ａ１と重なるように（即ち、ラベル内空間１１Ｒが貫通孔Ａ１と連通するように）被着体Ａに貼り付けられる。この際、非貼付層７は、被着体Ａにおける貫通孔Ａ１から離間した位置に当接した状態となり、線状貫通部１１ａは、被着体Ａにおける貫通孔Ａ１から離間した位置に配置される。斯かる状態において、内部空間Ｒ１の気体が貫通孔Ａ１から排出されることで、ラベル内空間１１Ｒ内に気体が流入し、ラベル内空間１１Ｒの気圧が上昇する。そして、ラベル内空間１１Ｒの気圧の上昇によって、通気ラベル１１及び／又は被着体Ａが変形することで、非貼付層７が被着体Ａから離間して、非貼付層７と被着体Ａとの間に隙間が形成される。これにより、斯かる隙間に流入した気体が線状貫通部１１ａを通じて外部空間Ｒ２へ排出される。つまり、通気ラベル１１における線状貫通部１１ａが形成された領域が被着体Ａに当接するように、通気ラベル１１が被着体Ａに貼り付けられた状態であっても、線状貫通部１１ａを通じて容易に気体の排出を行うことができる。
【００５２】
なお、本発明に係る通気ラベルは、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５３】
例えば、第一実施形態および第二実施形態では、通気ラベル１，１０が低剥離領域３を備えているが、これに限定されるものではなく、低剥離領域３に代えて、被着体Ａ（包装体Ａ）に対して貼り付かない領域（以下、非貼付領域とも記す）を備えるように構成されてもよい。例えば、第一実施形態および第二実施形態の自己吸着層６に、被着体Ａ（包装体Ａ）に対して貼り付かない非貼付層が積層され、自己吸着層６と非貼付層とが積層された領域に線状貫通部１ａ，１０ａが形成されてもよい。これにより、通気ラベル対峙端部１ｂ，１ｂが被着体Ａに貼り付くことがないため、通気ラベル対峙端部１ｂ，１ｂの変位が阻害されることない。これにより、低剥離領域３を備える場合よりも、容易に（具体的には、内圧と外圧との差が低い状態であっても）線状貫通部１ａ，１０ａを開くことができる。非貼付層は、粘着性および吸着性を有さないシート材が積層されて構成されてもよく、粘着性および吸着性を有さない樹脂が印刷されて構成されてもよい。
【００５４】
また、第一実施形態および第二実施形態の低剥離領域３、および、第三実施形態の非貼付層７を備える領域は、通気ラベル１，１０，１１が被着体Ａに貼り付けられた状態で、被着体Ａに当接するように構成されているが、これに限定されるものではなく、粘着層５，５０，５１の厚みを調節することで、第一実施形態および第二実施形態の低剥離領域３、および、第三実施形態の非貼付層７を備える領域が被着体Ａから離間した状態に保持されてもよい。
【００５５】
また、上記実施形態では、通気ラベル対峙端部１ｂ，１ｂのみが変位（弾性変形）するように構成されているが、これに限定されるものではなく、例えば、通気ラベル対峙端部１ｂ，１ｂが被着体Ａに貼り付けられる場合には、通気ラベル対峙端部１ｂ，１ｂの変位（弾性変形）に追従して被着体Ａが変形するように構成されてもよい。
【００５６】
また、上記実施形態では、通気ラベル１を構成する各層が切り込まれて線状貫通部１ａが形成されているが、これに限定されるものではなく、例えば、各層を形成する際に、線状貫通部１ａを構成する各対峙端部が形成されてもよい。
【００５７】
また、上記実施形態では、通気ラベル対峙端部１ｂ，１ｂ同士の全体が当接するように構成されているが、これに限定されるものではなく、少なくとも自己吸着層対峙端部６ａ，６ａ同士が当接するように構成されてもよい。
【００５８】
また、上記実施形態では、内圧又は外圧の力が通気ラベル対峙端部１ｂ，１ｂに加わることで、通気ラベル対峙端部１ｂ，１ｂが変位（弾性変形）するように構成されているが、これに限定されるものではなく、例えば、通気ラベル１が被着体Ａに貼り付けられた状態で、被着体Ａが伸び縮みするような場合には、被着体Ａに追従して通気ラベル１が伸び縮みすることで、通気ラベル対峙端部１ｂ，１ｂが面方向に変位（接離）するように構成されてもよい。
【００５９】
また、上記実施形態では、包装体Ａに通気ラベル１が貼り付けられているが、これに限定されるものではなく、例えば、包装体Ａが形成される前の軟質包装材に通気ラベル１が貼り付けられた後、包装体Ａが形成されてもよい。
【００６０】
また、上記実施形態では、線状貫通部１ａ，１０ａ，１１ａは、十字状に形成されているが、これに限定されるものではなく、例えば、Ｕ字状やＶ字状又は波形状であってもよく、通気ラベル１が伸び縮みする場合には、直線状であってもよい。
【００６１】
また、上記実施形態では、通気ラベル１，１０，１１が粘着層５，５０，５１を備えているが、これに限定されるものではなく、例えば、粘着層５を備えないように構成されてもよい。斯かる場合には、被着体Ａに粘着剤を塗布等することで粘着層を形成し、該粘着層が形成された位置に通気ラベルを貼り付けるようにしてもよい。
【００６２】
また、上記実施形態では、通気ラベル１，１０，１１は、本体層４、粘着層５，５０，５１、および、自己吸着層６から構成されているが、これらの層に加えて、他の層（例えば、これらの層同士を結合するアンカー層など）を備えるように構成されてもよい。
【符号の説明】
【００６３】
１…通気ラベル、１ａ…線状貫通部、１ｂ…通気ラベル対峙端部、２…貼付領域、３…低剥離領域、４…本体層、４ａ…本体層対峙端部、５…粘着層、５ａ…粘着層対峙端部、６…自己吸着層、６ａ…自己吸着層対峙端部、Ａ…被着体、Ａ１…貫通孔、Ｒ１…内部空間、Ｒ２…外部空間
【図１】
0006007202.tif 000002
【図２】
0006007202.tif 000003
【図３】
0006007202.tif 000004
【図４】
0006007202.tif 000005